(57)【要約】      （修正有）【課題】焼成室内を視認し易く、調理物を出入れし易いオーブントースターを提供する。【解決手段】内部に焼成室４を有すると共に前部に開口部２を有する筐体１と、この筐体１の開口部２に開閉可能に設けられる扉３と、前記焼成室４内に設けられる上ヒータ５、下ヒータ６及び焼網７とを有して構成され、前記扉３が、閉扉時にほぼ垂直となる直立部１１と、この直立部１１の上方に設けられて上方ほど後退するように傾斜する傾斜部１２を有すると共に、前記直立部１１と傾斜部１２に、前記焼成室４内を視認するための窓部１４，１５をそれぞれ設けたことで、奥行き寸法の増大を抑えつつ、前記窓部１５の上縁１５Ａを前記焼網７の前端７Ａよりも大きく後方に位置させ、前記焼成室４内の視認性及び調理物の出し入れ性を向上させることができる。【選択図】図３
0003166056.tif 000002
【実用新案登録請求の範囲】
【請求項１】
内部に焼成室を有すると共に前部に開口部を有する筐体と、
この筐体の開口部に開閉可能に設けられると共に前記焼成室内を視認するための窓部を有する扉と、
前記焼成室内に設けられるヒータ及び焼網とを有して構成されるオーブントースターにおいて、
前記扉が、閉扉時にほぼ垂直となる直立部と、この直立部の上方に設けられて上方ほど後退するように傾斜する傾斜部を有すると共に、
前記直立部と傾斜部に窓部を設けたことを特徴とするオーブントースター。
【請求項２】
前記扉の下部に、この扉の回動軸を水平に設けると共に、前記扉の傾斜部の上部に把手を設けたことを特徴とする請求項１記載のオーブントースター。
【請求項３】
前記把手を、前記傾斜部の外面に対しほぼ垂直となるように設けたことを特徴とする請求項２記載のオーブントースター。
【請求項４】
前記筐体の正面上部に、上方ほど後退するように傾斜する傾斜面を設けると共に、この傾斜面に操作部を設けたことを特徴とする請求項１記載のオーブントースター。
【考案の詳細な説明】
【技術分野】
【０００１】
本考案は、オーブントースターに関するものである。
【背景技術】
【０００２】
従来、この種のオーブントースターとしては、前部が開閉自在な扉からなる内筐体（本願考案の筐体に相当する）に、ヒータ及び焼網を内蔵させたものが知られている（例えば、特許文献１参照。）。そして、前記扉には、透視用のガラス（本願考案の窓部に相当する）が設けられる。また、前記扉の上部には、把手が設けられる。このようなオーブントースターは、ガラスを通して内筐体の奥まで見通すことができるように、また、調理物を出し入れし易くできるように、扉を上方ほど後退するように傾斜させた構造が一般的であった。更に、このようなオーブントースターは、タイマー（本願考案の操作部に相当する）の操作性を向上させるために、外筐体（本願考案の筐体に相当する）の前板を上方ほど後退するように傾斜させ、この前板にタイマーを設けた構造が一般的であった。
【先行技術文献】
【特許文献】
【０００３】
【特許文献１】特許第３５９６４４１号公報
【考案の概要】
【考案が解決しようとする課題】
【０００４】
焼成室内の視認性を決定付ける要素の一つは、前記扉を閉じた状態における、窓部の上端縁と焼網の前端縁との前後方向の位置関係である。即ち、前記窓部の上端縁が焼網の前端縁よりも前方であれば、前記焼成室内は視認し難く、前記窓部の上端縁が焼網の前端縁よりも後方であれば、前記焼成室内は視認し易い。そして、前記窓部の上端縁が焼網の前端縁よりも後方であるほど、前記焼成室内はより視認し易い。しかしながら、従来のオーブントースターは、窓部の上端縁が焼網の前端縁よりも大きく後方となるように構成してしまうと、前記扉の下端が前記焼網の前端縁よりも大きく前方に突出してしまう。これによって、オーブントースター全体の奥行きが大きくなってしまうと同時に、前記焼成室の有効容積が小さくなってしまうという問題があった。このため、従来のオーブントースターは、扉を僅かに後方に傾斜させる程度であり、前記焼成室内の視認性が十分ではなかった。更に、従来のオーブントースターは、斜め上方から前記焼成室内を見ようとすると、前記扉の上部に設けられた把手によって視線が遮られるという問題もあった。
【０００５】
また、調理物の出し入れ性を決定付ける要素の一つは、前記扉を開いた状態における、筐体の開口部の上端縁と焼網の前端縁との前後方向の位置関係である。即ち、開扉時における前記焼網の前端縁が前記開口部の上端縁よりも前方であればあるほど、調理物が出し入れし易い。しかしながら、従来のオーブントースターは、前述したように、前記扉を僅かに後方に傾斜させる程度であるため、前記開口部の上端縁をあまり後方に位置させることができないので、調理物の出し入れ性が十分ではなかった。
【０００６】
更に、前記操作部の操作性を決定付ける要素の一つは、この操作部の仰角と使用者の俯角との差である。即ち、仰角と俯角が一致すれば、使用者は前記操作部を正面から見ることができるので、前記操作部の操作を行い易い。しかしながら、従来のオーブントースターは、前記扉と筐体正面の傾斜を合わせると、前記操作部の仰角が小さいので、使用者の俯角との差が大きくなり、前記操作部の操作を行い難いという問題があった。
【０００７】
本考案は以上の問題点を解決し、焼成室内を視認し易く、調理物を出し入れし易いオーブントースターを提供することを目的とする。また、本考案は、操作部の操作を行い易いオーブントースターを提供することを目的とする。
【課題を解決するための手段】
【０００８】
本考案の請求項１に記載のオーブントースターは、内部に焼成室を有すると共に前部に開口部を有する筐体と、この筐体の開口部に開閉可能に設けられると共に前記焼成室内を視認するための窓部を有する扉と、前記焼成室内に設けられるヒータ及び焼網とを有して構成されるオーブントースターにおいて、前記扉が、閉扉時にほぼ垂直となる直立部と、この直立部の上方に設けられて上方ほど後退するように傾斜する傾斜部を有すると共に、前記直立部と傾斜部に窓部を設けたものである。
【０００９】
また、本考案の請求項２に記載のオーブントースターは、請求項１において、前記扉の下部に、この扉の回動軸を水平に設けると共に、前記扉の傾斜部の上部に把手を設けたものである。
【００１０】
また、本考案の請求項３に記載のオーブントースターは、請求項２において、前記把手を、前記傾斜部の外面に対しほぼ垂直となるように設けたものである。
【００１１】
更に、本考案の請求項４に記載のオーブントースターは、請求項１において、前記筐体の正面上部に、上方ほど後退するように傾斜する傾斜面を設けると共に、この傾斜面に操作部を設けたものである。
【考案の効果】
【００１２】
本考案の請求項１に記載のオーブントースターは、以上のように構成することにより、奥行き寸法の増大を抑えつつ、前記窓部の上縁を前記焼網の前端よりも大きく後方に位置させることができるので、焼成室内の視認性及び調理物の出し入れ性を向上させることができる。
【００１３】
また、前記扉の下部に、この扉の回動軸を水平に設けると共に、前記扉の傾斜部の上部に把手を設けたことにより、この把手によって視線を遮らないようにして、焼成室内の視認性を向上させることができるばかりでなく、開扉時におけるオーブントースターの設置面と把手との距離を大きくすることができるので、前記扉の開閉操作を行い易くすることができる。
【００１４】
また、前記把手を、前記傾斜部の外面に対しほぼ垂直としたことにより、前記把手によって視線を遮らないようにして、焼成室内の視認性をより向上させることができる。
【００１５】
更に、前記筐体の正面上部に、上方ほど後退するように傾斜する傾斜面を設け、この傾斜面に操作部を設けたことにより、奥行き寸法の増大を抑えつつ、前記操作部の仰角の自由度を大きくして、この操作部を操作し易くすることができる。
【図面の簡単な説明】
【００１６】
【図１】本考案の第一の実施形態を示すオーブントースターの正面図である。
【図２】同、Ａ−Ａ断面図である。
【図３】同、扉を開いた状態の断面図である。
【図４】同、斜視図である。
【図５】本考案の第二の実施形態を示すオーブントースターの正面図である。
【図６】同、Ｂ−Ｂ断面図である。
【考案を実施するための形態】
【００１７】
以下、本考案の第一の実施形態について、図１乃至図４に基づいて説明する。なお、以下の説明において、図１乃至図３の姿勢に基づいて前後及び上下左右を規定する。即ち、図２及び図３において、左が前、右が後である。
【００１８】
１は筐体である。この筐体１は、その前側に開口部２を有する。そして、この開口部２には、扉３が開閉可能に取り付けられる。そして、前記筐体１と扉３によって、焼成室４が画定される。なお、前記開口部２、扉３及び焼成室４は、前記筐体１の左寄りに設けられる。
【００１９】
前記筐体１は、前記焼成室４内の上部に、上ヒータ５が設けられる。また、前記筐体１は、前記焼成室４内の下部に、下ヒータ６が設けられる。そして、前記焼成室４内における前記上ヒータ５と下ヒータ６との間には、焼網７が設けられる。この焼網７は、前記扉３の内面側に設けられた後述する連結腕部１８に接続され、前記扉３の開閉に連動して前後に移動する。なお、前記開口部２は、ほぼ垂直に形成された直立縁部２Ａと、上方ほど後退するように形成された傾斜縁部２Ｂとを有して構成される。そして、前記傾斜縁部２Ｂは、前記直立縁部２Ａの上方に設けられる。また、閉扉時における前記直立縁部２Ａの上端から前記焼網７迄の高さと、前記傾斜縁部２Ｂの高さとの比は、２：１程度である。
【００２０】
また、前記筐体１は、その右側正面の上部に、上方ほど後退するように傾斜する傾斜面８を有する。このように、この傾斜面８が、前記筐体１の前上部に設けられることで、前記筐体１の奥行きを大きくすることなく、前記傾斜面８の傾斜角度を比較的自由に設定することができる。本実施形態の場合、前記傾斜面８の垂直に対する傾斜角度は、約４０度である。そして、前記傾斜面８に、操作部としてのダイヤル９が設けられる。なお、このダイヤル９の図示しない軸は、前記傾斜面８と直交する。即ち、前記傾斜面８の傾斜角度によって、前記ダイヤル９の軸の仰角が定まり、本実施形態の場合、前記ダイヤル９の軸の仰角も約４０度である。このように、前記ダイヤル９の軸の仰角は、従来の構造のそれよりも大きい。
【００２１】
前記扉３は、回動軸１０回りに回動可能となるように、前記筐体１に取り付けられる。なお、前記回動軸１０は、前記扉３の下部に、左右方向に水平となるように設けられる。また、前記扉３は、閉扉時にほぼ垂直となる直立部１１と、上方ほど後退するように傾斜する傾斜部１２と、この傾斜部１２の上部に設けられた把手１３とを有して一体的に構成される。なお、前記傾斜部１２は、前記直立部１１の上方に設けられる。また、前記扉３の傾斜部１２の外面１２Ａは、閉扉時に、前記筐体１の傾斜面８とほぼ面一となるように形成される。即ち、閉扉時における、前記扉３の傾斜部１２の傾斜角度と前記筐体１の傾斜面８の傾斜角度は、ほぼ一致する。そして、前記直立部１１には、窓部１４が設けられる。また、前記傾斜部１２には、窓部１５が設けられる。なお、閉扉時に、前記窓部１５の上縁１５Ａは、前記焼網７の前端７Ａよりも後となる。そして、前記各窓部１４，１５には、それぞれ透明な平板状の耐熱ガラス１６，１７が取り付けられる。また、前記把手１３は、前記傾斜部１２の外面１２Ａと直交するように突出して設けられる。そして、閉扉時における前記把手１３の前端１３Ａの奥行き方向位置は、前記直立部１１の前面１１Ａとほぼ同じである。更に、前記直立部１１の内面側の左右両端部には、一対の連結腕部１８が内側に突出して設けられる。そして、この連結腕部１８は、前述したように、前記焼網７に接続される。
【００２２】
次に、本実施形態の作用について説明する。まず、使用者は、本考案のオーブントースターを設置面Ｓ上に設置し、図示しない電力線の先端に設けられた電源プラグを、同じく図示しない交流電源に接続する。そして、前記把手１３を把持して前方に引き、前記扉３を開く。この際、この扉３は、前記回動軸１０を中心に回動する。そして、前記扉３が回動すると、これに連動して、前記焼網７が前記連結腕部１８に引かれて前方に引き出される。なお、前述した通り、前記扉３が、前記直立部１１と傾斜部１２を有して構成され、前記把手１３が、前記傾斜部１２の外面１２Ａと直交するように、斜め上前方に突出して設けられるので、前記扉３を大きく開いたとしても、前記把手１３から設置面Ｓまでの距離を大きくすることができる。特に、閉扉時における前記把手１３の前端１３Ａの奥行き位置が、前記直立部１１の前面１１Ａとほぼ同じであることによって、前記扉３を大きく開いたとしても、前記把手１３から設置面Ｓまでの距離を十分大きくすることができる。これによって、使用者は、前記扉３を大きく開いたとしても、前記把手１３を容易に把持し、前記扉３の開閉操作を行い易くすることができる。
【００２３】
また、前記扉３を開くと、前記筐体１の開口部２の直立縁部２Ａ及び傾斜縁部２Ｂが露出する。そして、この際、前記傾斜縁部２Ｂが傾斜している分、前記焼網７の前端７Ａから、前記傾斜縁部２Ｂの上端縁部２Ｃまでの奥行き方向の距離が大きくなる。これによって、使用者は、その手が前記開口部２に触れ難くして、前記焼網７上にパン等の調理物を容易に載せたり、前記焼網７上から調理物を容易に取り出したりすることができる。
【００２４】
そして、使用者は、前記把手１３を把持して持ち上げ、前記扉３を閉じる。この際、これに連動して、前記焼網７は、前記連結腕部１８に押されて後方に押し込まれる。更に、使用者は、前記ダイヤル９を摘んで、焼成時間に応じて任意に回動させる。なお、前述したように、前記ダイヤル９の軸の仰角は、約４０度であり、従来のオーブントースターのそれよりも大きい。このため、使用者は、しゃがんだりすることなく、前記ダイヤル９の軸の仰角と、使用者の視線の俯角を合わせることができる。このように、前記ダイヤル９の軸の仰角と使用者の視線の俯角が合うようにすると、前記ダイヤル９がどの目盛りを指しているのかが判り易くなる。従って、使用者は、前記ダイヤル９を操作し易い。また、前記傾斜面８が前記筐体１の前上部に設けられることで、前記ダイヤル９が使用者の目の近くに位置するので、使用者は前記ダイヤル９をより操作し易い。
【００２５】
そして、前記ダイヤル９を操作することで、前記上ヒータ５及び下ヒータ６が通電されて発熱する。そして、前記各ヒータ５，６の発した熱によって、パン等の調理物が焼かれる。この際、前記焼成室４内の調理物は、前記扉３に設けられた前記窓部１４，１５を通して視認することができる。そして、前述したように、前記扉３の傾斜部１２に設けられた前記窓部１５の上縁１５Ａが、前記焼網７の前端７Ａよりも後に位置するので、前記焼成室４の奥の部分は、前記窓部１５を通して斜め前上方から視認し易い。また、前述したように、前記把手１３が前記傾斜部１２の外面１２Ａと直交するように突出して設けられるので、使用者が前記窓部１５に正対すれば、使用者の視線Ｖは、図２に示すように、前記把手１３によって遮られることがない。従って、使用者は、前記焼成室４内を奥まで容易に視認することができる。
【００２６】
なお、扉の内面と焼網の前端は、両者が接触しないように、両者間に所定の間隔を設ける必要がある。このため、扉全体が後方に傾斜する従来のオーブントースターは、焼成室内の視認性を向上させるため、及び調理物の出し入れ性を向上させるために、扉の傾斜角を大きくすると、筐体及び扉の、焼網よりも下の部分が前方に大きく突出して、全体の奥行き寸法が大きくなる。これに対し、本考案のオーブントースターは、閉扉時にほぼ垂直となる前記扉３の直立部１１が前記焼網７の前端７Ａと対向するので、前記扉３の前記焼網７よりも下の部分、ひいては前記筐体２の前記焼網７よりも下の部分が前方に突出しない。これによって、本考案のオーブントースターは、前記焼成室４内の視認性を向上させながら、また調理物の出し入れ性を向上させながら、全体の奥行き寸法を比較的小さくすることができる。
【００２７】
以上のように、本考案のオーブントースターは、内部に焼成室４を有すると共に前部に開口部２を有する筐体１と、この筐体１の開口部２に開閉可能に設けられる扉３と、前記焼成室４内に設けられる上ヒータ５、下ヒータ６及び焼網７とを有して構成され、前記扉３が、閉扉時にほぼ垂直となる直立部１１と、この直立部１１の上方に設けられて上方ほど後退するように傾斜する傾斜部１２を有すると共に、前記直立部１１と傾斜部１２に、前記焼成室４内を視認するための窓部１４，１５をそれぞれ設けたことで、奥行き寸法の増大を抑えつつ、前記窓部１５の上縁１５Ａを前記焼網７の前端７Ａよりも大きく後方に位置させ、前記焼成室４内の視認性及び調理物の出し入れ性を向上させることができるものである。
【００２８】
また、本考案のオーブントースターは、前記扉３の下部に、この扉３の回動軸１０を水平に設けると共に、前記扉３の傾斜部１２の上部に把手１３を設けたことで、この把手１３が使用者の視線Ｖを遮らず、前記焼成室４内の視認性を向上させることができるばかりでなく、設置面Ｓと、開扉時における前記把手１３との距離を大きくすることができるので、前記扉３の開閉操作を行い易くすることができるものである。
【００２９】
また、本考案のオーブントースターは、前記把手１３を、前記傾斜部１２の外面１２Ａに対しほぼ垂直としたことで、前記把手１３によって視線Ｖを遮らないようにして、前記焼成室４内の視認性をより向上させることができるものである。
【００３０】
更に、本考案のオーブントースターは、前記筐体１の正面上部に、上方ほど後退するように傾斜する傾斜面８を設け、この傾斜面８に操作部としてのダイヤル９を設けたことにより、奥行き寸法の増大を抑えつつ、前記ダイヤル９の仰角を大きくして、このダイヤル９を操作し易くすることができる。
【００３１】
次に、本考案の第二の実施形態について、図５及び図６に基づいて説明する。なお、第一の実施形態と共通する部分には、共通の符号を付し、その説明を省略する。また、本実施形態でも、以下の説明において、図５及び図６の姿勢に基づいて前後及び上下左右を規定する。即ち、図６において、左が前、右が後である。
【００３２】
１は筐体である。この筐体１は、その前側に開口部２を有する。そして、この開口部２には、扉２１が開閉可能に取り付けられる。そして、前記筐体１と扉２１によって、焼成室４が画定される。なお、前記開口部２、扉２１及び焼成室４は、前記筐体１の左寄りに設けられる。
【００３３】
前記扉２１は、回動軸１０回りに回動可能となるように、前記筐体１に取り付けられる。なお、前記回動軸１０は、前記扉２１の下部に、左右方向に水平となるように設けられる。また、前記扉２１は、閉扉時にほぼ垂直となる直立部２２と、上方ほど後退するように傾斜する傾斜部２３と、この傾斜部２３の上部に設けられた把手１３とを有して一体的に構成される。なお、前記傾斜部２３は、前記直立部２２の上方に設けられる。また、前記扉２１の傾斜部２３の外面２３Ａは、閉扉時に、前記筐体１の傾斜面８とほぼ面一となるように形成される。即ち、閉扉時における、前記扉２１の傾斜部２３の傾斜角度と前記筐体１の傾斜面８の傾斜角度は、ほぼ一致する。そして、前記直立部２２から前記傾斜部２３にかけて、窓部２４が設けられる。なお、閉扉時に、前記窓部２４の上縁２４Ａは、前記焼成室４内に設けられた焼網７の前端７Ａよりも後となる。そして、前記窓部２４には、透明な耐熱ガラス２５が取り付けられる。なお、この耐熱ガラス２５は、前記直立部２２に取り付けられる平板状の直立板部２５Ａと、前記傾斜部２３に取り付けられる平板状の傾斜板部２５Ｂと、これらを接続する折曲部２５Ｃとで一体に構成される。また、前記把手１３は、前記傾斜部２３の外面２３Ａと直交するように突出して設けられる。そして、閉扉時における前記把手１３の前端１３Ａの奥行き方向位置は、前記直立部２２の前面２２Ａとほぼ同じである。更に、前記直立部２２の内面側の左右両端部には、一対の連結腕部１８が内側に突出して設けられる。そして、この連結腕部１８は、前記焼網７に接続される。
【００３４】
次に、本実施形態の作用について説明する。まず、使用者は、本考案のオーブントースターを設置面Ｓ上に設置し、図示しない電力線の先端に設けられた電源プラグを、同じく図示しない交流電源に接続する。そして、前記把手１３を把持して前方に引き、前記扉２１を開く。この際、この扉２１は、前記回動軸１０を中心に回動する。そして、前記扉２１が回動すると、これに連動して、前記焼網７が前記連結腕部１８に引かれて前方に引き出される。なお、前述した通り、前記扉２１が、前記直立部２２と傾斜部２３を有して構成され、前記把手１３が、前記傾斜部２３の外面２３Ａと直交するように、斜め上前方に突出して設けられるので、前記扉２１を大きく開いたとしても、前記把手１３から設置面Ｓまでの距離を大きくすることができる。特に、閉扉時における前記把手１３の前端１３Ａの奥行き位置が、前記直立部２２の前面２２Ａとほぼ同じであることによって、前記扉２１を大きく開いたとしても、前記把手１３から設置面Ｓまでの距離を十分大きくすることができる。これによって、使用者は、前記扉２１を大きく開いたとしても、前記把手１３を容易に把持し、前記扉２１の開閉操作を行い易くすることができる。
【００３５】
そして、使用者は、前記把手１３を把持して持ち上げ、前記扉２１を閉じる。そして、前記ダイヤル９を操作することで、前記焼成室４内に設けられた上ヒータ５及び下ヒータ６が通電されて発熱する。そして、前記各ヒータ５，６の発した熱によって、パン等の調理物が焼かれる。この際、前記焼成室４内の調理物は、前記扉２１に設けられた前記窓部２４を通して視認することができる。そして、前述したように、前記扉２１の直立部２２から傾斜部２３にかけて設けられた前記窓部２４の上縁２４Ａが、前記焼網７の前端７Ａよりも後に位置するので、前記焼成室４の奥の部分は、前記窓部２４の上部を通して斜め前上方から視認し易い。また、前述したように、前記把手１３が前記傾斜部２３の外面２３Ａと直交するように突出して設けられるので、使用者が前記窓部２４の上部に設けられた前記耐熱ガラス２５の傾斜板部２５Ｂに正対すれば、使用者の視線Ｖは、図６に示すように、前記把手１３によって遮られることがない。従って、使用者は、前記焼成室４内を奥まで容易に視認することができる。
【００３６】
そして、本考案のオーブントースターは、閉扉時にほぼ垂直となる前記扉２１の直立部２２が前記焼網７の前端７Ａと対向するので、前記扉２１の前記焼網７よりも下の部分、ひいては前記筐体２の前記焼網７よりも下の部分が前方に突出しない。これによって、本考案のオーブントースターは、前記焼成室４内の視認性を向上させながら、また調理物の出し入れ性を向上させながら、全体の奥行き寸法を比較的小さくすることができる。
【００３７】
このように、第二の実施形態は、前記窓部２４を前記直立部２２から傾斜部２３にかけて設けたことで、前記窓部２４に取り付ける耐熱ガラス２５を屈曲させる必要が生じるため、第一の実施形態に比べてコストアップに繋がる。その一方で、第二の実施形態は、前記窓部２４を前記直立部２２から傾斜部２３にかけて設けたことで、前記窓部２４を広くできるため、第一の実施形態に比べて、前記焼成室４内の視認性を向上させることができる。
【００３８】
以上のように、本考案のオーブントースターは、内部に焼成室４を有すると共に前部に開口部２を有する筐体１と、この筐体１の開口部２に開閉可能に設けられる扉２１と、前記焼成室４内に設けられる上ヒータ５、下ヒータ６及び焼網７とを有して構成され、前記扉２１が、閉扉時にほぼ垂直となる直立部２２と、この直立部２２の上方に設けられて上方ほど後退するように傾斜する傾斜部２３を有すると共に、前記直立部２２から傾斜部２３にかけて、前記焼成室４内を視認するための窓部２４を設けたことで、奥行き寸法の増大を抑えつつ、前記窓部２４の上縁２４Ａを前記焼網７の前端７Ａよりも大きく後方に位置させ、前記焼成室４内の視認性及び調理物の出し入れ性を向上させることができるものである。
【００３９】
また、本考案のオーブントースターは、前記扉２１の下部に、この扉２１の回動軸１０を水平に設けると共に、前記扉２１の傾斜部２３の上部に把手１３を設けたことで、この把手１３が使用者の視線Ｖを遮らず、前記焼成室４内の視認性を向上させることができるばかりでなく、設置面Ｓと、開扉時における前記把手１３との距離を大きくすることができるので、前記扉２１の開閉操作を行い易くすることができるものである。
【００４０】
また、本考案のオーブントースターは、前記把手１３を、前記傾斜部２３の外面２３Ａに対しほぼ垂直としたことで、前記把手１３によって視線Ｖを遮らないようにして、前記焼成室４内の視認性をより向上させることができるものである。
【００４１】
なお、本考案は以上の実施形態に限定されるものではなく、考案の要旨の範囲内で種々の変形実施が可能である。例えば、上記各実施形態は、閉扉時に、筐体の傾斜面と扉の傾斜部の外面とがほぼ面一となるように構成したが、両者の傾斜角度が異なるようにしても良い。
【符号の説明】
【００４２】
１  筐体
２  開口部
３，２１  扉
４  焼成室
５  上ヒータ（ヒータ）
６  下ヒータ（ヒータ）
７  焼網
８  傾斜面
９  ダイヤル（操作部）
１０  回動軸
１１，２２  直立部
１２，２３  傾斜部
１２Ａ，２３Ａ  外面
１３  把手
１４，１５，２４  窓部
【図１】
0003166056.tif 000003
【図２】
0003166056.tif 000004
【図３】
0003166056.tif 000005
【図４】
0003166056.tif 000006
【図５】
0003166056.tif 000007
【図６】
0003166056.tif 000008